(57)【特許請求の範囲】
【請求項１】
ラックに保持された検体収容容器から検体分注機構により検体を吸引して反応容器に吐出し、該反応容器で検体を指定分析項目用の試薬と反応させて分析を行う化学分析装置であって、分注対象の検体についてラック又は検体収容容器に付された識別情報を認識して検体識別情報を発生する識別情報発生部と、識別情報発生部からの検体識別情報に基づいて当該分注対象の検体に関する指定分析項目情報と検体容器形状情報をホストコンピュータから読み出して記憶し、記憶された指定分析項目情報と検体容器形状情報に基づいて、当該分注対象の検体が収容された検体収容容器から検体を吸引分注すると共に、指定分析項目用の試薬を用いて指定分析項目について分析を行うように化学分析装置を制御する制御コンピュータを備えた化学分析装置において、
分注対象の検体について前記ラック又は検体収容容器に付された識別情報の内、前記識別情報発生部で検体識別情報発生に使用されない方の識別情報を認識して修正用検体容器形状情報を発生する修正検体容器形状情報発生手段を設け、前記制御コンピュータは、修正検体容器形状情報発生手段から修正用検体容器形状情報が発生された場合、当該修正用検体容器形状情報に基づいて前記検体分注機構を制御して当該分注対象の検体が収容された検体収容容器から検体を吸引分注すると共に、前記記憶された指定分析項目情報に基づき指定分析項目用の試薬を用いて指定分析項目について分析を行うように制御することを特徴とする化学分析装置。
【請求項２】
前記識別情報発生部は、検体収容容器に付された識別情報を認識して検体識別情報を発生し、前記修正検体容器形状情報発生手段は、ラックに付された識別情報を認識して修正用検体容器形状情報を発生することを特徴とする請求項１記載の化学分析装置。
【請求項３】
前記識別情報発生部は、ラックに付された識別情報を認識して検体識別情報を発生し、前記修正検体容器形状情報発生手段は、検体収容容器に付された識別情報を認識して修正用検体容器形状情報を発生することを特徴とする請求項１記載の化学分析装置。
【請求項４】
ラックに保持された検体収容容器から検体分注機構により検体を吸引して反応容器に吐出し、該反応容器で検体を指定分析項目用の試薬と反応させて分析を行う化学分析装置であって、分注対象の検体について分析順序に基づいて検体識別情報を発生する識別情報発生部と、識別情報発生部からの検体識別情報に基づいて当該分注対象の検体に関する指定分析項目情報と検体容器形状情報をホストコンピュータから読み出して記憶し、記憶された指定分析項目情報と検体容器形状情報に基づいて、当該分注対象の検体が収容された検体収容容器から検体を吸引分注すると共に、指定分析項目用の試薬を用いて指定分析項目について分析を行うように化学分析装置を制御する制御コンピュータを備えた化学分析装置において、ラック又は検体収容容器に付された識別情報を認識して修正用検体容器形状情報を発生する修正検体容器形状情報発生手段を設け、前記制御コンピュータは、修正検体容器形状情報発生手段から修正用検体容器形状情報が発生された場合、当該修正用検体容器形状情報に基づいて前記検体分注機構を制御して当該分注対象の検体が収容された検体収容容器から検体を吸引分注すると共に、前記記憶された指定分析項目情報に基づき指定分析項目用の試薬を用いて指定分析項目について分析を行うように制御することを特徴とする化学分析装置。
【発明の詳細な説明】
【技術分野】
【０００１】
本発明は血液や尿等の生体試料を分析する生化学分析装置に関する。
【背景技術】
【０００２】
図１は、生化学分析装置の一概略例を示している。生化学分析装置は、大まかには、搬送機構Ａ、測定機構Ｂ、及び制御機構Ｃから成り、前記搬送機構Ａによって生体試料（以後、検体と称す）を収容する検体収容容器を前記測定機構Ｂの検体吸引位置まで搬送し、該測定機構Ｂにおいて、検体と試薬を反応容器内に分注し、該検体と試薬の混合液の反応を測定するものである。なお、前記制御機構Ｃは前記搬送機構Ａ及び前記測定機構Ｂの制御と該測定機構Ｂで測定された結果を分析等を行うものである。
【０００３】
前記搬送機構Ａは検体を収容した検体収容容器１が複数個（図１の場合５個）セットされたラック２を供給するラック供給部３、所定の処理が終了したラックを回収するラック回収部４、及び、前記ラック供給部３と前記測定機構Ｂの間及び該測定機構と前記ラック回収部４との間でそれぞれラックを搬送する搬送路５（前者を往路５ａ、後者を復路５ｂと称す）から成り、何れもコンベアを主構成要素としており、前記ラック供給部３に供給された各ラック２は順次往路５ａに送り出され、検体吸引位置で所定の吸引が行われ、所定の処理が終わったラックは前記復路５ｂに送り込まれ、前記ラック回収部４に回収される様に成っている。
なお、前記搬送路５の往路５ａに、前記検体収容容器１及び前記ラック２に付された検体識別情報を読み取るためのバーコードリーダー２１（又は識別情報発生手段）が設けられている。
前記測定機構Ｂは、反応ディスク６、第１試薬テーブル７、第２試薬テーブル８、検体分注器９、第１試薬分注器１０、第２試薬分注器１１を備えている。
【０００４】
前記反応ディスク６は多数の反応容器１２がセットでき、更に、間欠回転出来るように成っており、前記反応容器１２に分注された検体と試薬を攪拌する攪拌機構１３、該検体と試薬の混合液の反応を光学的に測定する為の光源と光度計から成る光学測定機構１４、測定の終了した反応管内の混合液を排し、該管内を洗浄液で洗浄する洗浄機構１５が備えられている。
【０００５】
前記検体分注器９は検体吸引位置に来た検体収容容器１から所定量の検体を吸引して、前記反応ディスク６の回転により所定の位置に来ている反応容器に該検体を吐出（分注）するノズルを有する可動アームを備えている。
【０００６】
前記第１試薬分注器１０は、前記第１試薬テーブル７の回転により所定の位置に来た該第１試薬テーブル７にセットされた第１試薬容器から第１試薬を所定量吸引して、前記反応ディスク６の回転により所定の位置に来た反応容器に該第１試薬を吐出（分注）するノズルを有する可動アームを備えている。同様に、前記第２試薬分注器１１は、前記第２試薬テーブル８の回転により所定の位置に来た該第２試薬テーブルにセットされた第２試薬容器から第２試薬を所定量吸引して、前記反応ディスク６の回転により所定の位置に来た反応容器に該第２試薬を吐出（分注）するノズルを有する可動アームを備えている。
【０００７】
前記制御機構Ｃは、前記搬送機構Ａ、及び測定機構Ｂの各部の動作などを制御するコンピュータから成る制御コンピュータ１６から成る。
なお、前記制御機構Ｃには、生化学分析装置１００の前記制御コンピュータ１６に各種指令を送ったり、該制御コンピュータ１６を介して送られて来る測定データに基づいてデータ処理を行ったりするホストコンピュータ１７、キーボードやマウスから成る入力装置１８、表示装置１９及びメモリ２０も含まれる。
【０００８】
この様に構成された生化学装置において、検体の分析方法として、１）検体バーコード分析方法、２）ラック番号分析方法、３）シーケンシャル番号分析方法、以上の３種類が知られている。
【０００９】
先ず、検体バーコード分析方法について説明する。検体バーコード分析方法の場合、検体収容容器に検体の識別情報が付される。図２に示すように検体収容容器１に検体を入れた時に、入れた検体を特定するために、検体収容容器１外面の特定箇所に、検体識別情報（以後、検体ＩＤ番号と称す）を有する検体バーコードラベル５２が貼られる。
ラックは、図３に示すように複数の検体収容容器を収納するラック２の側面には、収納された検体収容容器１に貼られた検体バーコードラベル５２が見える様に縦方向にスリット５４が形成されている。
図１及び図４に示すように、分析する検体（例えば、血清、尿等）を収納した検体収容容器AVをラック２´に収納する。このラック２´を生化学分析装置１００のラック供給部３にセットする。該ラック２´はラック供給部３から前記往路５ａに送り出され、前記バーコードリーダー２１によって検体収容容器AVの検体バーコードラベル５２から検体ＩＤ番号が読み込まれ制御コンピュータ１６に送られる。
【００１０】
該制御コンピュータ１６は、前記バーコードリーダー２１からの検体ＩＤ番号に基づいて分注対象の検体に関する指定分析項目情報と検体容器形状情報をホストコンピュータ２１から読み出し、該指定分析項目情報と検体容器形状情報に基づいて生化学装置１００の検体分注器９に指令を送るので、該検体分注器９は搬送路５の往路５ａ上において、検体吸引位置に来たラック２´の検体収容容器AVから所定量だけ吸引し、反応ディスク６が回転し、所定の位置に来た反応容器１２に分注する。
【００１１】
次に、第１試薬テーブル７の回転により所定の位置に来た第１試薬容器の第１試薬は、前記第１試薬分注器１０によって所定量だけ吸引され、前記反応ディスク６の回転により所定の位置に来ている反応容器１２に分注される。
【００１２】
次に、攪拌機構１３は、前記反応ディスク６の回転により所定の位置に来ている前記反応容器１２に分注された検体と第１試薬を攪拌する。
【００１３】
次に、第２試薬テーブル７の回転により所定の位置に来た第２試薬容器の第２試薬は第２試薬分注器１１によって所定量だけ吸引され、前記反応ディスク６の回転により所定の位置に来ている前記反応容器１２に分注される。
【００１４】
次に、前記攪拌機構１３は、前記反応ディスク６の回転により所定の位置に来ている前記反応容器１２内の混合液と第２試薬を攪拌する。なお、分析項目により第２試薬の分注が不必要な場合には、前記第２試薬の吸引・分注及び後の（二回目の）攪拌は行われない。
次に、前記反応ディスク６の回転により所定の位置に来た前記反応容器１２の混合液は光学的測定装置１４によって吸光度が測定され、この吸光度値が制御コンピュータ１６を介してホストコンピュータ１７に送られ、検体の成分分析が行われ、各検体ＩＤ番号に対応させて分析結果が外部メモリ２０に記憶される。なお、前記光学的測定装置１４で吸光度が測定された混合液が収容された反応容器は洗浄機構１５によって洗浄される。
【００１５】
続いて、ラック番号分析方法について説明する。ラック番号分析方法の場合、ラックに検体の識別情報が付される。図１及び図５に示すように、入れた検体を特定するために、ラック１の特定箇所に、検体識別情報（以後、検体ＩＤ番号と称す）を有する検体バーコードラベル５２が貼られる。
【００１６】
この検体バーコードラベル５２´が貼られたラック２´に分析する検体が入った検体収容容器AVを収納する。
【００１７】
該ラック２´を図５に示す生化学分析装置１００の搬送機構Aのラック供給部３にセットする。このラック２´は、ラック供給部３から搬送路５に搬送され、前記搬送路５の往路５ａのバーコードリーダー２１で、該ラック２´の検体バーコードラベル５２´から検体ＩＤ番号としてラック番号を読み込んで制御コンピュータ１６に送る。
該制御コンピュータ１６は、前記バーコードリーダー２１からのラック番号に対応した分注対象の検体に関する指定分析項目情報と検体容器形状情報をホストコンピュータ２１から読み出し、該指定分析項目情報と検体容器形状情報に基づいて測定機構Bの検体分注器９、第１試薬分注器１０、第１試薬テーブル７、第２試薬分注器１１、第２試薬テーブル８、反応ディスク６、攪拌機構１３、光学測定機構１４、洗浄機構１５を制御する。
そして、分注対象の検体が収容された検体収容容器AVから検体を吸引分注し、指定分析項目用の試薬を用いて指定分析項目について分析を行い、測定された検体の吸光度は前記制御コンピュータ１６を介して前記ホストコンピュータ１７に送られて成分分析され、各検体ＩＤ番号に対応させて分析結果が外部メモリ２０に記憶される。
続いて、シーケンシャル番号分析方法について説明する。シーケンシャル番号分析方法の場合、前述の生体分析装置と異なる構成は、分注対象の検体の分析する順に検体識別情報が発生する識別情報発生手段２２が設けられ、検体収容容器１又はラック２に付された検体識別情報を読み込むバーコードリーダー２１を削除した点である。図６は、シーケンシャル番号分析方法を適用した生化学分析装置の構成の一概略例を示している。図中、前記図１にて使用した記号と同一記号の付されたものは同一構成要素を示す。
図６、図７に示すように分析する検体を収納した検体収容容器AVをラック２´に収納し、生化学装置１００のラック供給部３にセットし、分析を開始すると、生化学分析装置１００の識別情報発生手段２２は、分注対象の検体の分析する順序に自動的にシーケンシャル番号を発生させ、制御コンピュータ１６に送る。該制御コンピュータ１６は、受け取ったシーケンシャル番号に対応した分注対象の検体に関する指定分析項目情報と検体容器形状情報をホストコンピュータ１７から読み出し、該指定分析項目情報と検体容器形状情報に基づいて測定機構Bの検体分注器９、反応ディスク６を制御する。
そして、分注対象の検体が収容された検体収容容器AVから検体を吸引分注し、指定分析項目用の試薬を用いて指定分析項目について分析を行い、測定された検体の吸光度は前記制御コンピュータ１６を介して前記ホストコンピュータ１７に送られて成分分析され、各検体ＩＤ番号に対応させて分析結果が外部メモリ２０に記憶される。
【先行技術文献】
【特許文献】
【００１８】
【特許文献１】特開２０１０−１９８０８号公報
【発明の概要】
【発明が解決しようとする課題】
【００１９】
さて、この様な生化学分析装置において検体収容容器に収容されている検体の量が十分でない場合がある。例えば、重篤な患者や乳幼児の場合には十分な量の検体が採取出来ないので、一般的に、この様な被検者の検体収容容器に収容されている検体は少量である。
【００２０】
この様な少量検体が、例えば、図８の（ａ）に示す検体収容容器Ｓ（標準の長さと標準の径を有する容器）に入れられていた場合、前記した様に、この検体のＩＤ番号に対応させて分析項目情報と検体収容容器Ｓの形状情報が前記メモリ２０に記憶された後、該検体収容容器の容器形状情報に基づいた距離だけ前記検体注入器９の可動アームが下降して検体を吸引しようとしても、検体収容容器底面からの検体の高さが低いために該可動アームに取り付けられたノズル先端部が該検体に届かなかったり、或いは、届いたとしても十分に該検体中に入り込めずに、所定量の検体が吸引出来ない事態が発生する。そこで、この様な事態が起きない様に、オペレータは、所定量の検体が吸引可能な検体収容容器、例えば、図８の（ｂ）に示す検体収容容器Ｔ（前記標準の検体収容容器Ｓより長さが短く、径の小さい検体収容容器）に検体を移し、図８の（ｃ）に示す前記検体収容容器Tを同じ検体バーコードラベルが貼られている検体収容容器Sに入れる。
【００２１】
しかし、バーコードリーダー２１がこの少量検体のＩＤ番号を読み込むと、前記外部メモリ２０からは該検体ＩＤ番号に対する検体収容容器の形状情報（検体収容容器Ｓの種類情報）が読み出されるので、前記検体分注器９の可動アームは検体収容容器Ｓに設定されている距離移動してしまい、実際に検体を収容している検体収容容器Ｔの底に前記可動アームに取り付けられているノズル先端が衝突してしまう。
【００２２】
そこで、この様なことが起こらない様に、検体を別の種類の検体収容容器に移し替えた場合、オペレータは、前記入力装置１８を使って、該検体収容容器を変更した検体の検体ＩＤ番号に対応させて、変更した検体収容容器の形状情報を前記ホストコンピュータ１７に入力して、該検体についての前記メモリ２０の内容を変えていた。
【００２３】
しかしながら、生化学分析装置の本体を成す測定機構Ｂと該測定機構Bに付随している制御コンピュータ１６とが置かれている場所と、該制御コンピュータ１６を除く制御機構Ｃの各ユニットが置かれている場所は、通常、別々の部屋になっており（即ち、前記二つの場所は離れている）、又、前記メモリ内容の入れ替えは厄介な作業であり、結果的に、分析時間のロスに繋がっている。
【００２４】
本発明はこの様な問題を解決することを目的として成されたもので、新規な生化学分析装置を提供するものである。
【課題を解決するための手段】
【００２５】
本発明の生化学分析装置は、ラックに保持された検体収容容器から検体分注機構により検体を吸引して反応容器に吐出し、該反応容器で検体を指定分析項目用の試薬と反応させて分析を行う化学分析装置であって、分注対象の検体についてラック又は検体収容容器に付された識別情報を認識して検体識別情報を発生する識別情報発生部と、識別情報発生部からの検体識別情報に基づいて当該分注対象の検体に関する指定分析項目情報と検体容器形状情報をホストコンピュータから読み出して記憶し、記憶された指定分析項目情報と検体容器形状情報に基づいて、当該分注対象の検体が収容された検体収容容器から検体を吸引分注すると共に、指定分析項目用の試薬を用いて指定分析項目について分析を行うように化学分析装置を制御する制御コンピュータを備えた化学分析装置において、
分注対象の検体について前記ラック又は検体収容容器に付された識別情報の内、前記識別情報発生部で検体識別情報発生に使用されない方の識別情報を認識して修正用検体容器形状情報を発生する修正検体容器形状情報発生手段を設け、前記制御コンピュータは、修正検体容器形状情報発生手段から修正用検体容器形状情報が発生された場合、当該修正用検体容器形状情報に基づいて前記検体分注機構を制御して当該分注対象の検体が収容された検体収容容器から検体を吸引分注すると共に、前記記憶された指定分析項目情報に基づき指定分析項目用の試薬を用いて指定分析項目について分析を行うように制御することを特徴とする。
【発明の効果】
【００２６】
本発明によれば、検体の分析直前に、測定すべき検体を収容している検体収容容器が別の形状の検体収容容器に移し替えられた場合においても、オペレーション操作によることなく、自動的に検体収容容器の形状情報を変更することができるので、この変更された検体収容容器の形状情報に基づいて分注機構が制御でき、分析時間のロスがなくなる。
【図面の簡単な説明】
【００２７】
【図１】生化学分析装置の構成の一概略例を示す図である。
【図２】検体収容容器の一概略例を示す図である。
【図３】検体収容容器とラックの一概略例を示す図である。
【図４】検体バーコード分析方法を説明する一概略を示す図である。
【図５】ラック番号分析方法を説明する一概略を示す図である。
【図６】シーケンシャル番号分析方法を適用させた生化学分析装置の構成の一概略例を示す図である。
【図７】シーケンシャル番号分析方法を説明する一概略を示す図である。
【図８】三種類の検体収容容器の概略を示している。
【図９】本発明の実施の形態１、２に係る生化学分析装置の構成の一概略を示す図である。
【図１０】本発明の実施の形態１に係る検体バーコード分析方法を説明する一概略を示す図である。
【図１１】本発明に実施の形態２に係るラック番号分析を説明する一概略を示す図である。
【図１２】本発明の実施の形態３に係る生化学分析装置の構成の一概略を示す図である。
【図１３】本発明の実施の形態３に係るシーケンシャル番号分析方法を説明する一概略を示す図である。
【発明を実施するための最良の形態】
【００２８】
以下の図面を参照して本発明の実施の形態を詳細に説明する。
（実施の形態１）  
本発明の実施の形態１に係る生化学分析装置の構成の一概略例を図９に示す。図中、前記図１にて使用した記号と同一記号の付されたものは同一構成要素を示す。
【００２９】
本実施例が従来例と異なるのは、分析直前に検体収容容器の形状が変わった場合においても分析が行えるように該検体収容容器に付されたバーコードラベルの識別情報から修正用検体容器形状情報を発生する修正検体容器形状情報発生手段を設けた点である。
【００３０】
即ち、図９において、図中２３は分注対象の検体について検体収容容器又はラックに付されたバーコードの識別情報の内、バーコードリーダー２１からの検体識別情報の発生に使用されない方の識別情報を認識し、修正用検体容器形状情報を発生する修正検体容器形状情報発生手段である。
【００３１】
なお、前記バーコードリーダー２１は、検体収容容器１又はラックに付された識別情報を同時に読み込むものである。
このような生化学分析装置において、先ず、本発明を採用した生化学分析装置で検体バーコード分析方法について説明する。この分析方法の場合、検体バーコードラベルが検体収容容器に貼られ、検体容器形状バーコードラベルが専用のラックに貼られる。
【００３２】
図９において、オペレータは、入力装置１８を使った手入力、或いは検体採取部署が作成した分析すべき各検体の検体ＩＤ番号に対応させて検体容器の形状情報を含む分析項目を前記ホストコンピュータ１７を通じて順次外部メモリ２０に記憶させる。
次に、オペレータは、前記入力した各検体が収納された検体容器をラックにセットする。この際、例えば、検体収容容器Ｓ（図８の（ａ））の中に検体量の少ないものがあった場合、オペレータは、所定量の検体が吸引可能な検体収容容器、例えば、図８の（ｂ）に示す検体収容容器Ｔに検体を移し、図８の（ｃ）に示すように該検体収容容器Tを検体収容容器S内にセットした検体収容容器STにかえる。
なお、この少量検体に関しては、該少量の検体ＩＤ番号に対応させて最初の検体収容容器Ｓの形状情報が前記外部メモリ２０に既に記憶されている。
図９、１０において、オペレータは、前記検体収容容器STを検体容器形状情報が記憶された検体容器形状バーコードラベル５２aが貼られた専用のラック２aにセットする。
このラック２aを生化学分析装置１００のラック供給部３に置くと、該ラックが往路５ａに送り出されると、バーコードリーダー２１は検体収容容器STの検体バーコードラベル５２から検体ＩＤ番号を読み込み修正検体容器形状情報発生手段２３に送る。このとき、同時に前記バーコードリーダー２１で専用ラック２aの検体容器形状バーコードラベル５２aから検体収容容器形状情報が読み込まれ、修正検体容器形状情報発生手段２３に送られる。
【００３３】
該修正検体容器形状情報発生手段２３は、前記バーコードリーダー２１から送られてきた検体識別情報が検体識別情報を発生させる検体ID番号の場合、制御コンピュータ１６に送るが、検体識別情報の発生に使用されない方の修正用検体容器形状情報を認識した場合には、該修正用検体容器形状情報を発生させ、制御コンピュータ１６に送る。
【００３４】
該制御コンピュータ１６は、送られてきた修正用検体容器形状情報を内蔵メモリ（図示せず）に一旦記憶し、該検体ID番号に基づいて分注対象の検体に関する指定分析項目情報と前記検体容器形状情報をホストコンピュータ２１から読み出すが、このとき、前記ホストコンピュータ１７から読み出した前記検体容器形状情報を用いず、前記内蔵メモリ（図示せず）に記憶されている前記修正用検体容器形状情報を読み出し、この修正用検体容器形状情報に基づいて生化学分析装置１００の検体分注機構を制御する。
【００３５】
その結果、分注対象の検体が収納されている検体収容容器STから検体を正確に吸引され、分注が行われる。
その後、前記制御コンピュータ１６は、前記指定分析項目情報に基づき生化学分析装置１００の測定機構Bを制御し、前記指定分析項目情報に基づいて指定分析項目用の試薬を用いて指定分析項目について分析が行われる。
（実施の形態２）  
続いて、本発明の実施の形態２に係るラック番号分析方法について説明する。この分析方法の場合、検体バーコードラベルがラックに貼られ、検体容器形状バーコードラベルが検体収容容器に貼られる。
分析直前、検体収容容器１の中に検体量の少ないものを見つけた場合、図１１に示すようにオペレータは所定の検体が吸引可能な検体収納容器、即ち、検体を図８（ｂ）に示す検体収容容器Tに移し、検体容器形状情報を記憶した検体容器形状バーコードラベル５２aが貼られている検体収容容器ST内にセットする。そして、この検体収容容器STを検体バーコードラベル５２が貼られたラック２aにセットする。
このラック２aを図９に示す生化学分析装置１００のラック供給部３に置くと、該ラック２aが往路５ａに送り出されると、バーコードリーダー２１は、検体収容容器STの検体容器形状バーコードラベル５２aから検体収容容器形状情報を、ラック２aの検体バーコードラベル５２から検体ＩＤ番号を読み込んで修正検体容器形状情報発生手段２３に送る。
【００３６】
該修正検体容器形状情報発生手段２３は、前記バーコードリーダー２１から送られてきた検体識別情報が検体識別情報を発生させる検体ID番号の場合、制御コンピュータ１６に送るが、検体識別情報の発生に使用されない方の修正用検体容器形状情報を認識した場合には、該修正用検体容器形状情報を発生させ、制御コンピュータ１６に送る。
【００３７】
該制御コンピュータ１６は、送られてきた修正用検体容器形状情報を内蔵メモリ（図示せず）に一旦記憶し、前記検体ID番号に基づいて分注対象の検体に関する指定分析項目情報と前記検体容器形状情報をホストコンピュータ２１から読み出すが、このとき、前記ホストコンピュータ１７から読み出した前記検体容器形状情報を用いず、前記内蔵メモリ（図示せず）に記憶されている前記修正用検体容器形状情報を読み出し、この修正用検体容器形状情報に基づいて生化学分析装置１００の検体分注機構を制御する。
【００３８】
その結果、分注対象の検体が収納されているラック２aの検体収容容器STから検体を正確に吸引され分注が行われる。
【００３９】
その後、制御コンピュータ１６は、前記指定分析項目情報に基づき生化学分析装置１００の測定機構Bを制御し、前記指定分析項目情報に基づいて指定分析項目用の試薬を用いて指定分析項目について分析が行われる。
（実施の形態３）  
続いて、本発明の実施の形態３に係る生化学分析装置のシーケンシャル番号分析方法について説明する。
本発明を採用したシーケンシャル番号分析を適用した生化学分析装置の構成の一概略例を図１２に示す。図中、前記図１にて使用した記号と同一記号の付されたものは同一構成要素を示す。
【００４０】
本実施例が従来例のシーケンス番号分析方法を採用した生化学分析装置と異なるのは、修正検体容器形状情報発生手段２３の配置位置とバーコードリーダー２１´を設けている点である。
搬送路５の往路５にバーコードリーダー２１´が設けられ、その出力側と接続され、情報識別発生手段２２と制御コンピュータ１６との間に配置された修正検体容器形状情報発生手段２３を設けた点である。
【００４１】
このような構成のシーケンシャル番号分析を適用した生化学分析装置において、検体収容容器１の中に検体量の少ないものを見つけた場合、オペレータは所定の検体が吸引可能な検体収納容器、即ち、検体を検体収容容器Tに移し、検体容器形状情報を記憶した検体容器形状バーコードラベル５２aが貼られている検体収容容器ST内にセットする。そして、この検体収容容器STをラック２にセットする。
【００４２】
分析する検体を収納した検体収容容器STをラック２に収納し、生化学装置１００のラック供給部３にセットし、分析を開始すると、生化学分析装置１００の識別情報発生手段２２は、分注対象の検体の分析する順序に自動的にシーケンシャル番号を発生させ、修正検体容器形状情報発生手段２３を介して制御コンピュータ１６に送る。このとき、修正検体容器形状情報発生手段２３がバーコードリーダー２１から検体識別情報の発生に使用されない方の修正用検体容器形状情報を認識した場合には、該修正用検体容器形状情報を発生させ、制御コンピュータ１６に送るのである。
【００４３】
該制御コンピュータ１６は、送られてきた修正用検体容器形状情報を内蔵メモリ（図示せず）に一旦記憶し、送られてきたシーケンシャル番号に基づいて分注対象の検体に関する指定分析項目情報と前記検体容器形状情報をホストコンピュータ２１から読み出すが、このとき、前記ホストコンピュータ１７から読み出した前記検体容器形状情報を用いず、前記内蔵メモリ（図示せず）に記憶されている前記修正用検体容器形状情報を読み出し、この修正用検体容器形状情報に基づいて生化学分析装置１００の検体分注機構を制御する。
その結果、分注対象の検体が収納されているラック２の検体収容容器STから検体を正確に吸引され分注が行われる。その後、制御コンピュータ１６は、前記指定分析項目情報に基づき生化学分析装置１００の測定機構Bを制御し、前記指定分析項目情報に基づいて指定分析項目用の試薬を用いて指定分析項目について分析が行われる。
【符号の説明】
【００４４】
１・・・検体収容容器
２，２´，２a・・・ラック
３・・・ラック供給部
４・・・ラック回収部
５・・・搬送路
６・・・反応ディスク
７・・・第１試薬テーブル
８・・・第２試薬テーブル
９・・・検体分注器
１０・・・第１試薬分注器
１１・・・第２試薬分注器
１２・・・反応容器
１３・・・攪拌機構
１４・・・光学測定機構
１５・・・洗浄機構
１６・・・制御コンピュータ
１７・・・ホストコンピュータ
１８・・・入力装置
１９・・・表示装置
２０・・・外部メモリ
２１、２１´・・・バーコードリーダー
２２・・・識別情報発生手段
２３・・・修正検体容器形状情報発生手段
５２・・・検体バーコードラベル
５２a・・・修正用検体容器形状情報バーコードラベル
５４・・・スリット
【図１】
0005738696.tif 000002
【図２】
0005738696.tif 000003
【図３】
0005738696.tif 000004
【図４】
0005738696.tif 000005
【図５】
0005738696.tif 000006
【図６】
0005738696.tif 000007
【図７】
0005738696.tif 000008
【図８】
0005738696.tif 000009
【図９】
0005738696.tif 000010
【図１０】
0005738696.tif 000011
【図１１】
0005738696.tif 000012
【図１２】
0005738696.tif 000013
【図１３】
0005738696.tif 000014